(57)【特許請求の範囲】
【請求項１】
カートリッジ式小型容器（２０）に装着した吐出弁付蓋と口金    において、蓋（２、３６、６２）が蓋本体（３、３７、６３）の外側に蓋外筒（８、４２、６４）を移動可能に組合せて、両者の間に弾性部材（１３、４６）を内蔵し、口金（２１、４８、７３）が両端に開口と一方に座（２４、５１、７６）と他方に容器との接続端（２７）を備えた口金本体（２２、４９、７４）の外側に口金外筒（２９、５５、８０）を圧入固定し、両外筒に設けた係合手段と前記弾性部材とにより蓋（２、３６、６２）と口金（２１、４８、７３）をねじ接合によらず連結または開放する構成としたことを特徴とする小形容器の出入口開閉具。
【請求項２】
蓋本体（３、６３）と蓋外筒（８、６４）を摺動可能に接続し    、その摺動部にリング状のスペース（１１）を形成し、その空間の容積を摺動方向に可変として、内部に弾性部材（１３）として有効巻数を１としたコイルスプリングを収納し、蓋外筒（８、６４）の摺動に合わせ伸縮する構成としたことを特徴とする請求項１に記載の小形容器の出入口開閉具。
【請求項３】
蓋本体（３７）に備えたフランジ（４０）と蓋外筒（４２）の間に、弾性部材（４６）として少なくとも三個のコイルスプリングを収納し、蓋外筒（４２）の動きに合わせ伸縮する構成としたことを特徴とする請求項１に記載の小形容器の出入口開閉具。
【請求項４】
口金本体（２２、４９）を容器（２０）に加締めて固定した後    、その口金本体の縦溝（２８、５２）と口金外筒（２９、５５）の縦溝（３２、５８）を合わせて圧入し、口金本体（２２、４９）の抜け止め（２５、５３）の位置に合わせ、前記口金外筒表面を加締めて固定したことを特徴とする請求項１から３の何れかに記載の小形容器の出入口開閉具。
【請求項５】
口金本体（７４）と口金外筒（８０）を圧入して、抜け止め（    ７７、８２）により一体化した口金（７３）を用い、容器（２０）に加締めて固定したことを特徴とする請求項１か２に記載の小形容器の出入口開閉具。
【請求項６】
係合手段が一方を蓋本体（３）に摺動可能に組合せた蓋外筒（    ８）の断面Ｕ字のリング底（９）面に、少なくとも二個の抜け止め付開口を設けて係止孔（１５）とし、他方を口金本体（２２）に装着した口金外筒のフランジ（３１）面に前記係止孔に対応して係止具（３３）を固定し、その係止孔と係止具を係合し両者の間に弾性部材（１３）の弾力が働く構成としたことを特徴とする請求項１か２か４の何れかに記載の小形容器の出入口開閉具。
【請求項７】
係合手段が一方を蓋本体（３７）に備えたフランジ（４０）と    蓋外筒（４２）の間に備えたコイルスプリングに、同数の係止具（４７）を組合せて固定し、他方を口金本体（４９）に装着した口金外筒のフランジ（５６）面に前記係止具に対応して係止孔（５９）を設け、その係止具と係止孔を係合し両者の間に弾性部材（４６）の弾力が働く構成としたことを特徴とする請求項１か３か４の何れかに記載の小形容器の出入口開閉具。
【請求項８】
係合手段が一方を蓋本体（６３）に摺動可能に組合せた蓋外筒    の内壁（６６）に、少なくとも二個のカム状の係止孔（６８）を設け、他方を口金本体（７４）に装着した口金外筒の胴（８３）面に、前記係止孔に対応して爪状の係止具（８５）を設け、その両者を係合し間に弾性部材（１３）の弾力が働く構成としたことを特徴とする請求項１か２か５の何れかに記載の小形容器の出入口開閉具。
【請求項９】
係止孔（１５、５９）を異幅の連続した長孔（１６、１７）と    案内板（１８）と突起（１９）を、その中心の軌跡が円の一部である様に鍵穴状に配置し、蓋（２、３６）の回転と押しにより、係止具（３３、４７）が長孔（１６）に落ち込み、突起（１９）を超え長孔（１７）に至り係合が完了する構成としたことを特徴とする請求項１から４と６と７の何れかに記載の小形容器の出入口開閉具。
【請求項１０】
係止孔（６８）の形状を切り欠き（６９）と開口（７０）と    突起（７１）と開口（７２）とでカム状に形成し、蓋（６２）の回転と押しにより係止具（８５）が切り欠き（６９）に嵌まり込み、突起（７１）を超え開口（７２）に至り係合が完了する構成としたことを特徴とする請求項１と２と５と８の何れかに記載の小形容器の出入口開閉具。
【請求項１１】
係止具（３３、４７、８５）および係止孔（１５、５９、６    ８）の組合せにおいて、その係止具が蓋（２、３６、６２）の自重で最初に係止孔と合致した時の落ち込み量もしくは嵌まり込み量を範囲１〜３mmの何れかを選んだことを特徴とする請求項１から１０の何れかに記載の小形容器の出入口開閉具。
【発明の詳細な説明】
【０００１】
【産業上の利用分野】
本発明は、小型容器に装着する出入口開閉具に関する。
【０００２】
【従来の技術】
小形容器の出入口には、口金と蓋とパッキング等の各部材からなる組合せを用い、液種に応じて金属か合成樹脂かゴム等の材質上の配慮を施し、形状を最初から容器と口金を一体として成形するか、別々に造り両者を加締めや鑞付け等の接合手段で一体化し、嵌合に精度の高い単条か複条のねじを口金と蓋の双方に付与し、両者の間にパッキングを挿入してねじ止めし開閉する。
【０００３】
【発明が解決しようとする課題】
小形容器用の口金と蓋には、プレスで薄板を成形した製品を引き当てることが多い。しかし成形品のねじはピッチが粗く大きいために、口金と蓋のねじ部分を正しく組合せることが難しく、締め過ぎや締め込み不足や食い違いに気づかぬことが起こり易く、特に蓋を開閉する場所が暗いときには手間を要する。
【０００４】
【課題を解決するための手段】
本発明は、液体容器の出入口の開閉に関する上記の問題を解決し、作業場所の明暗に関係なく嵌合位置を探し出し、軽度の力でも確実容易に開閉することが可能な、ワンタッチ式の口金と蓋の提供を目的とする。
【０００５】
本発明は、カートリッジ式小型容器に装着した吐出弁付蓋と口    金において、蓋が蓋本体の外側に蓋外筒を移動可能に組合せて、両者の間に弾性部材を内蔵し、口金が両端に開口と一方に座と他方に容器との接続端を備えた口金本体の外側に口金外筒を圧入固定し、両外筒に設けた係合手段と前記弾性部材とにより蓋と口金をねじ接合によらず連結または開放する構成としたことを特徴とする小形容器の出入口開閉具である。
【０００６】
【発明の実施の形態】
本発明の小型容器の出入口開閉具は、ねじ接合によらず場所の明暗に関わらずに容易に着脱位置を見分け、軽度の力で常に安定した開閉条件を備えた薄板から成形した口金と蓋である。
【０００７】
一方の構成材である蓋は、蓋本体の外周に蓋外筒を組合せ、両者の嵌合部の周囲に上下方向に働く、少なくとも一個の弾性部材を格納し、その弾性部材の弾力を前記外筒に備えた係止材に作用せしめる構造を備え、他方の構成材である口金は、その口金本体に固定した外筒の胴体面かフランジ面の上に他方の係止材を形成し、両係止材を嵌合し抜け止めの働く位置まで僅かに回転し、蓋を口金に係合する構造である。
【０００８】
この係止材は係止具と係止孔の組合せでなり、蓋と口金の合わせの上下面か回転面に設置する。その動きは蓋を口金に載せ回すことで係止具の先端が係止孔に落ち込み、引き続いての回転で極自然に両者の正常な係合を容易に得る様に、係止孔は切り欠き孔と抜け止め孔とストッパー役の突起を平面では鍵穴状または側面ではカム状に配置し、相手の係止具に段付ピンか爪等の形状を付与し、係合面に弾性部材の弾力が効果的に働く構造とした構成で、前記落ち込み量は１〜１０ｍｍの範囲、好ましくは１〜３ｍｍの範囲から選択する。また係止材の組合せは逆に使用してもよい。
【０００９】
本発明の出入口開閉具を備えた小形容器は、灯油暖房機に使用するカートリッジ式燃料容器に最適で、特に可燃性の液体補充を行う場合に、誰でも容易に開閉位置の確認ができて、同じ状態の開閉処理ができる要件を充たすものである。この蓋と口金の組合せは燃料以外の液体供給設備に対しても使用が可能で、材質的にも金属や非鉄金属や合成樹脂を単独か組合せて使用すればよい。
【００１０】
【作用】
本発明による小形容器の出入口開閉具は、作業場所の明暗に関わらず口金に蓋を正しく組合せ常に均一な力による開閉を可能とする。
【００１１】
【実施例１】
図１は灯油暖房機のカートリッジ式容器の出入口開閉具１で、
図１（Ａ）は蓋を口金に載せ係合準備完了の状態を、図１（Ｂ）は図１（Ａ）から蓋を押し下げ口金の回りに回転した状態を、図１（Ｃ）は図１（Ｂ）から蓋を更に回転して手を離し係合完了の状態の各断面図を、図２（Ａ）は蓋の平面図を、図２（Ｂ）は口金の平面図を、図３（Ａ）は係止具と係止孔の動きを示す平面図を、図３（Ｂ）は図３（Ａ）のａ−ａに沿う断面の展開図である。
【００１２】
図１（Ａ）の開閉具１を構成する一方の蓋２は、円筒の一端に吐出弁付消音筒４を装着し、他端は胴体半ばから下方にかけ同心円状に拡大し、その拡大部に段５と胴６と端に鍔７を備えた蓋本体３と、その蓋本体外面に断面Ｕ字のリング底９の内壁１０の上端を内に向け折り曲げた蓋外筒８を胴６と摺動可能に嵌合した構造で、蓋本体３と蓋外筒８に囲まれたスペース１１内に弾性部材１３（コイルスプリング）を内蔵する。
【００１３】
蓋本体３にスプリング１３を予備緊張して挿入し、蓋外筒８を嵌合してスペース１１を形成した後、予め蓋本体３のリング底９の内壁１０下端を二重折りとした部分を内側に折り曲げて抜け止め１２とする。蓋外筒８を蓋本体３の外面に沿い動かすとスプリング１３が伸縮しに反発力が生まれる。段５の内側にパッキング１４を挿入し、前記リング底に三個の係止孔１５を備える。また有効巻数１で総巻数が約３のスプリング１３の使用により伸縮時の復原がスムーズとなり、蓋外筒８の動きを好ましい状態に保つことに役立ち、且つスペース１１を最小とした。
【００１４】
図１（Ａ）の開閉具１を構成する他方の口金２１は、円筒の一端に開口２３と座２４とリング状の凹みの抜け止め２５を備え、他端は胴体半ばから下方にかけて同心円状に拡大し、その拡大部に段２６と容器２０との接続端２７備えた口金本体２２と、その口金本体の上半部に沿う形状で、段３０と下端にフランジ３１を備えた口金外筒２９を、各胴面に形成した三個の縦溝２８、３２を組合せ圧入固定し、そのフランジ面に三個の段付ピン状の係止具３３を蓋２のリング底９に設けた係止孔１５に対応して取付け、容器２０とは口金本体を取付け接続後に口金外筒を被せ、抜け止め２５に相当する表面を凹ませ固定した構造である。
【００１５】
蓋を閉じる際は蓋２を口金２１に嵌め込み、係止具３３の先端が係止孔１５に蓋２の自重で自然に落ち込むまで蓋２を回すと図１（Ａ）の様に係合準備完了の状態となり、図１（Ｂ）は図１（Ａ）から蓋外筒８を押し下げてスプリング１３を圧縮して係止孔１５に係止具３３の先端を挿入した状態で、図１（Ｃ）は図１（Ｂ）から蓋２を更に回転し、蓋外筒８を離し係止孔１５に係止具３３が係合完了した状態図で、この段階で係合部にスプリング１３の弾力が作用し、蓋２と口金２１にパッキング１４を圧縮するに充分な力が与えられる。図中のａ寸法は係合作業中のリング底と係止具の距離の変化を示し、最初の自然に落ち込む量を２ｍｍに設定した。
【００１６】
図２（Ａ）は蓋２の平面図を、図２（Ｂ）は口金２１の平面図で、係止孔１５と係止具３３の配置を示し、図２（Ａ）の様に係止孔１５は断面Ｕ字のリング底９に開け、その孔は中心の軌跡を円弧の一部とした長孔１６と連続した幅狭い長孔１７でなり、両長孔に係止具３３を嵌合する際の案内板１８とストッパー役の突起１９が形成されている。図３（Ａ）は係止孔１５と係止具３３との位置関係の平面図を、図３（Ｂ）で図３（Ａ）のａ−ａに沿う断面図を示し、図１の動きを二点鎖線と一点鎖線と実線で示した。
【００１７】
二点鎖線は図１（Ａ）の係止具３３の先端が自重で案内板１８に沿い長孔１６に嵌まり込んだ状態で、蓋が口金との正確な係合位置に置かれたことを示し、一点鎖線は蓋の回転により、図１（Ｂ）の係止具３３が長孔１６から１７へ進み途中の突起１９を超える状態を示し、スプリング１３の圧縮が最も進む。実線は図１（Ｃ）の係止具３３が回転動作により幅狭の長孔１７に移動し、その係止具の先端が突起１９を超え蓋外筒の断面Ｕ字のリング底９に係合し、その係合部にスプリング１３の弾力が作用し係合完了した状態で、係止具３３の嵌まり込みから係合完了までの回転角は約４５度である。
【００１８】
蓋２を開ける場合は図３の逆操作を行えばよく、蓋外筒８を強く押し下げ、係止具３３の先端が突起１９を乗り越えて、その係止具を長孔１６まで逆回転して移動した後、蓋２を持ち上げれば簡単に口金２１から外すことができる。この操作に熟練は不要で開閉状態が安定し変わらないこと、暗がりでも係合位置が容易に認識できること、開閉に力を要しない等の特徴がある。また蓋に備えた係止孔と口金に備えた係止具の関係が本例とは逆の組合せとしてもよい。
【００１９】
【実施例２】
図４は灯油暖房機のカートリッジ式容器の出入口開閉具３５で、図４（Ａ）は蓋を口金に載せ係合準備完了の状態を、図４（Ｂ）は図４（Ａ）から蓋を押し下げ口金の回りに回転した状態を、図４（Ｃ）は図４（Ｂ）から蓋を更に回転して係合が完了した状態の各断面図を示し、図５（Ａ）は蓋の平面図で、図５（Ｂ）は口金の平面図である。
【００２０】
図４（Ａ）の開閉具３５を構成する一方の蓋３６で、円筒の一端に吐出弁付消音筒４を装着し、胴体半ばから下方にかけ同心円状に拡大し、その拡大部分に段３８と胴３９と端に断面Ｕ字のフランジ４０を備え、その段の内側にパッキング１４を挿入し、そのフランジに段付ピン状の係止具４７が通り抜ける孔４１を設けた蓋本体３７と、その蓋本体外面に外周の三箇所に窪み４３を設けた断面逆Ｌ字の蓋外筒４２を被せ、その窪み内面に孔４５付の座４４を設け、係止具４７と予備緊張を与えたコイルスプリング４６でフランジの孔４１を挟む様に組立て、孔４５で係止具４７の端を膨らまし抜けない様にした構造である。
【００２１】
図４（Ａ）の開閉具３５を構成する他方の口金４８は、円筒の一端に開口５０と座５１と縦溝５２とリング状の凹みでなる抜け止め５３を備え、他端は胴体半ばから下方にかけ同心円状に拡大し、その拡大部に段５４と容器２０との接続端２７を備えた口金本体４９と、その口金本体の上半部に沿う形状で、下端にフランジ５６と胴５７を備えた口金外筒５５を、各外周に形成した二個の縦溝５２、５８を組合せ圧入固定し、そのフランジ面に三個の係止孔５９が蓋本体３７のフランジ４０に設けた係止具４７に対応して取付け、容器２０とは口金本体を取付け接続した後に口金外筒を被せ、抜け止め５３に相当する表面を凹ませ固定した構造である。
【００２２】
蓋を閉じる際は蓋３６を口金４８に嵌め込み、係止具４７の先端が係止孔５９に自然に落ち込むまで回すと、図４（Ａ）の様に係合準備完了の状態となり、図４（Ｂ）は図４（Ａ）から蓋３６の蓋外筒４２を押し下げ回転しスプリング４６を圧縮し、係止孔５９に口金４８の係止具４７先端を段部に挿入した状態図で、自然に落ち込む量は２ｍｍとした。
【００２３】
図４（Ｃ）は図４（Ｂ）から蓋３６を更に回転して係合し、蓋外筒４２を離し係止具４７が係止孔５９に係合完了した状態図で、この段階で係合部にスプリング４６の弾力が作用し、蓋３６と口金４８にパッキング１４を圧縮するに充分な力が与えられる。係止具４７の落ち込みから係合が完了までの回転角は約４５度で、係合の開始から解除に至る動きと位置関係は、実施例１の図３の符号１５を５９に３３を４７と置き換えて実施例１の説明を引用する。蓋３６を開ける時は図４の逆操作を行えばよく、図５（Ａ）は蓋の平面図で、図５（Ｂ）は口金の平面図である。
【００２４】
【実施例３】
図６は灯油暖房機のカートリッジ式容器の出入口開閉具６１で、図６（Ａ）は口金外筒８０の係止具８５の上に蓋外筒６４が載った状態を、図６（Ｂ）は図６（Ａ）から蓋を回転しながら押し下げた状態を、図６（Ｃ）は図６（Ｂ）から蓋を口金の回りに回転し離して係合完了の状態の各断面図を示し、図７は口金７３の分解図で、図７（Ａ）は口金本体の断面図を、図７（Ｂ）は図７（Ａ）の平面図を、図７（Ｃ）は口金外筒の側面図を、図７（Ｄ）は図７（Ｃ）の平面図で組合せ相手の状態を二点鎖線で示した。図８は蓋６２の分解した蓋外筒６４で、図８（Ａ）は蓋外筒の断面図を、図８（Ｂ）は図８（Ａ）の底面図を示し、併せて係止具と係止孔の位置関係を示した。
【００２５】
図６の開閉具６１を構成する一方の蓋６２は実施例１の蓋２に較べて、蓋外筒６４の一部形状と係止材の形状と弾性部材１３を格納するスペース１１の抜け止め６７以外は蓋本体３と略同形状であり、本例では相違点の説明に止めて記載以外の説明は実施例１を引用する。本例は蓋外筒６４のリング底６５と内壁６６面に図８に示す二個のカム状の係止孔６８を設けた構造である。
【００２６】
図６（Ａ）の開閉具６１を構成する他方の口金７３は、円筒の一端に開口７５と座７６を備え、他端は胴体半ばから下方にかけ同心円状に拡大し、その拡大部に段７８と容器２０との接続端２７を備えた口金本体７４と、その口金本体の上半部に沿う形状で、段８１と胴８３を備えた口金外筒８０を、外周に形成した二個の縦溝７９、８４を組合せ、両縦溝を合わせ圧入した後に段８１の上側円筒をリング状に加締めて抜け止め７７，８２を形成して固定し、胴８３面に二個の係止具６６を係止孔８０に対応して形成した構造である。
【００２７】
蓋を閉じる際は図６（Ａ）の様に、蓋６２を口金７３に嵌め込み蓋６２が係止具８５の上に載った状態から、蓋６２を回し係止具８５に係止孔６８が自然に嵌まり込む様にすると係合準備が完了する（図示せず）。同図（Ｂ）は蓋外筒６４を押し下げてスプリング１３を圧縮し、係止具８５を係止孔６８に深く挿入した状態図で、同図（Ｃ）は同図（Ｂ）から蓋６２を回転し蓋外筒６４を離し係合完了の状態図で、この段階で係合部分にスプリング１３の弾力が作用し、蓋６２と口金７３にパッキング１４を圧縮するに充分な力が与えられる。
【００２８】
図７は組立前の口金本体７４と口金外筒８０の単体図で、図７（Ａ、Ｂ）は口金本体７４で段７８から下辺に縦溝７９を備え、図７（Ｃ、Ｄ）は口金本体７４に被せ圧入する口金外筒８０で、胴８３に縦溝８４と該胴面を切り込み外向けに押し出した係止具８５を備え、両者の縦溝７９、８４を合わせて一体化した後に段８１の上にリング状の抜け止め７７，８２により固定する。
【００２９】
図８（Ａ）は蓋６２の蓋外筒６４単体の断面図を、図８（Ｂ）は底面図で、リング底６５面に切り欠き６９を設け連続するように内壁６６面に開口７０と突起７１と横に伸びる開口７２からなるＬ字のカム状の係止孔６８を備え、その位置は図７（Ｃ、Ｄ）に示した口金外筒８０の胴８３面の爪状の係止孔具８５に対応する。尚、実施例１，２に較べ本例での口金は容器２０に取付ける前に一体化出来るので口金との取付け手間が少なくて済む利点がある。
【００３０】
図８（Ａ、Ｂ）に、図６の係止具８５と係止孔６８の位置関係    を点線、一点鎖線、二点鎖線を使用し添字付符号で示した。点線は図６（Ａ）のリング底６５が係止具８５１ に載った状態を、次の点線は係止具８５２ が切り欠き６９から開口７０に嵌め込まれた状態で、蓋６２が口金７３と係合に必要な位置決めを終えた状態に相当し、この嵌まり込み量は２mmとした。一点鎖線は図６（Ｂ）の蓋外筒６４を押し下げ回転し突起７１を超えようとする状態である。
【００３１】
二点鎖線は図６（Ｃ）に相当し、係止具８５３  が突起７１を乗り超えて横に伸びる開口７２に至り蓋外筒６４を離すと係止具８５４  が開口７２の下縁に接し、係合部にスプリング１３の弾力が作用する係合完了の状態で、係止具８５の嵌め込みから係合完了までの回転角は約４５度である。前記突起は係止具８５のストッパーとして機能する。蓋６２を開けるには図６の逆操作を行えばよく、また蓋に備えた係止爪と口金に備えた係止孔との関係は逆の組合せとしてもよい。
【００３２】
【発明の効果】
本発明の出入口開閉具の使用により下記の効果を得た。
▲１▼周囲の明暗に関わりなく蓋を口金上で回すと、合わせ位置で蓋自身の重さで口金の係止孔に落ち込むので、係合の位置決めが楽に出来るようになった。
▲２▼開閉に強い力の必要がなく締め込みが楽で、常に安定した開閉状態が得られる様になった。
▲３▼蓋の開閉操作に慣れが必要なく操作完了の確認も容易になった。
▲４▼開閉手段が自然に解除され緩むことがなくなった。
▲５▼口金外筒の胴にカム状の係止孔を備える口金では、予め口金本体と口金外筒を一体化して置くことが出来るのに較べて、口金外筒のリング底またはフランジに長孔状の係止孔を備える口金では、口金本体と口金外筒を別々に取付けるが、機能には全く変化なかった。
【図面の簡単な説明】
【図１】実施例１に示す出入口開閉具で（Ａ）は蓋を口金に載せ予備係合した状態を、（Ｂ）は（Ａ）から蓋を口金に嵌めた状態を、（Ｃ）は（Ｂ）から蓋を回転し口金に係合した状態の各断面図である。
【図２】（Ａ）で蓋を（Ｂ）で口金の各平面図を示した。
【図３】係止具と係止孔の位置関係を示し、（Ａ）では平面図を、（Ｂ）は（Ａ）のａ−ａ断面に沿う展開図である。
【図４】実施例２に示す出入口開閉具で（Ａ）は蓋を口金に載せ予備係合した状態を、（Ｂ）は（Ａ）から蓋を口金に嵌めた状態を、（Ｃ）は（Ｂ）から蓋を回転し口金に係合した状態の各断面図である。
【図５】（Ａ）で蓋を（Ｂ）で口金の各平面図を示した。
【図６】実施例３に示す出入口開閉具で、（Ａ）は蓋を口金に載せた状態を、（Ｂ）は（Ａ）から蓋を回転し口金に嵌めた状態を、（Ｃ）は（Ｂ）から蓋を押し下げ回転した状態の各断面図である。
【図７】口金の分解図で、（Ａ）は口金本体の断面図を、（Ｂ）は（Ａ）の平面図を、（Ｃ）は口金本体の側面図を、（Ｄ）は（Ｃ）の平面図を示した。
【図８】蓋の分解図で（Ａ）は蓋外筒の断面図を、（Ｂ）は（Ａ）の底面図を示し、係止具と係止孔の位置関係を併せて示した。
【符号の説明】
１、３５、６１  開閉具
２、３６、６２  蓋
３、３７、６３  蓋本体
４  消音筒
７  鍔
８、４２、６４  蓋外筒
９、６５  リング底
１１  スペース
１２、６７  抜け止め（摺動部）
１３、４６  スプリング
１４  パッキング
１５、５９、６８  係止孔
２０  容器
２１、４８、７３  口金
２２、４９、７４  口金本体
２５、５３、７７、８２  抜け止め
２７  接続端
２８、３２、５２、５８、７９、８４  縦溝
２９、５５、８０  口金外筒
３３、４７、８５  係止具
６９  切り欠き
７０、７２  開口
７１  突起
【図１】
0003614661.tif 000002
【図２】
0003614661.tif 000003
【図３】
0003614661.tif 000004
【図４】
0003614661.tif 000005
【図５】
0003614661.tif 000006
【図６】
0003614661.tif 000007
【図７】
0003614661.tif 000008
【図８】
0003614661.tif 000009